(57)【要約】【課題】レンズカバーをレンズフードに一体化したレンズフードを提供する。【解決手段】レンズフードは、撮像レンズの前方に取り付けられ、不要な光が撮像レンズに入射するのを防止するように構成されている。そして、上扉と下扉とを有するレンズカバーと、フード本体と、を備えている。フード本体は、撮像レンズの光軸と直交する軸回りに互いに逆方向に回動するように上扉および下扉を支持するとともに、上扉および下扉を収納する収納室を有する。【選択図】図３
2015111240.tif 000002
【特許請求の範囲】
【請求項１】
撮像レンズの前方に取り付けられ、不要な光が前記撮像レンズに入射するのを防止するように構成されたレンズフードであって、
上扉と下扉とを有するレンズカバーと、
前記撮像レンズの光軸と直交する軸回りに互いに逆方向に回動するように前記上扉および前記下扉を支持するとともに、前記上扉および前記下扉を収納する収納室を有するフード本体と、
を備えたレンズフード。
【請求項２】
前記フード本体は、
前記上扉および前記下扉を回動可能に支持するフードベースと、
前記フードベースとの間に前記収納室を形成しながら前記フードベースを覆うフードと、を有する
請求項１に記載のレンズフード。
【請求項３】
前記上扉および前記下扉は、前記収納室に収納され前記撮像レンズの前方を開放する開扉位置と、前記撮像レンズの前方を遮蔽する閉扉位置との間で回動するように前記フードベースに支持された、
請求項２に記載のレンズフード。
【請求項４】
前記上扉は、ボス状に形成された一対の上扉回動軸を有し、
前記下扉は、ボス状に形成された一対の下扉回動軸を有し、
前記フードベースは、前記一対の上扉回動軸を回動可能に支持する一対の軸溝と、前記一対の下扉回動軸を回動可能に支持する一対の軸溝とを有する、
請求項３に記載のレンズフード。
【請求項５】
上扉駆動カム溝と下扉駆動カム溝とを有するラックをさらに備え、
前記上扉の前記上扉回動軸の近傍に上扉駆動カムピンが形成され、
前記下扉の前記下扉回動軸の近傍に下扉駆動カムピンが形成され、
前記上扉駆動カムピンと前記上扉駆動カム溝とが係合し、前記下扉駆動カムピンと前記下扉駆動カム溝とが係合するように前記ラックを配置し、
前記ラックの平行移動により、前記上扉駆動カムピンが前記上扉駆動カム溝に押されて移動することで前記上扉が前記上扉回動軸を軸として回動し、前記下扉駆動カムピンが前記下扉駆動カム溝に押されて移動することで前記下扉が前記下扉回動軸を軸として回動する、ように構成された
請求項４に記載のレンズフード。
【請求項６】
前記上扉回動軸と前記上扉駆動カムピンとの相対的な配置関係と、前記下扉回動軸と前記下扉駆動カムピンとの相対的な配置関係とが互いに逆になるようにそれぞれが配置されて、前記上扉と前記下扉とは互いに逆方向に回動するように構成された
請求項５に記載のレンズフード。
【請求項７】
前記ラックは、使用者がスライド操作するための操作部を有する
請求項５に記載のレンズフード。
【請求項８】
前記フードベースは、防塵効果を有する形状に形成された内壁を有し、
前記上扉および前記下扉は、前記開扉位置および前記閉扉位置のいずれに配置されているときも前記内壁を覆うことなく、前記内壁は常時露出するように構成された
請求項１に記載のレンズフード。
【請求項９】
前記内壁は、階段状の形状に形成された
請求項８に記載のレンズフード。
【請求項１０】
撮像本体部と、
前記撮像本体部に装着された撮像レンズと、
前記撮像レンズの前方に取り付けられ、不要な光が前記撮像レンズに入射するのを防止するように構成されたレンズフードとを備え、
前記レンズフードは、
上扉と下扉とを有するレンズカバーと、
前記撮像レンズの光軸と直交する軸回りに互いに逆方向に回動するように前記上扉および前記下扉を支持するとともに、前記上扉および前記下扉を収納する収納室を有するフード本体と、を有する
撮像装置。
【発明の詳細な説明】
【技術分野】
【０００１】
本開示は、レンズの前方に取り付けて不要な光がレンズに入射するのを防止するレンズフードおよびこのレンズフードが装着された撮像装置に関する。
【背景技術】
【０００２】
撮像装置に取り付けるレンズフードとレンズカバー（レンズキャップ）が別体である構成が知られている。しかし、レンズカバーがレンズフードと別体ではレンズカバーを紛失しやすい。
【０００３】
特許文献１は、レンズカバーをレンズフードに一体化したレンズカバー付レンズフードを開示する。このレンズカバー付レンズフードは、レンズフード本体に設けられたレンズカバー開閉機構の操作突部をスライド操作することで、レンズフード本体の内側に収納された上扉及び下扉を開閉操作することができる。
【先行技術文献】
【特許文献】
【０００４】
【特許文献１】特開２００５−１７５２３号公報
【発明の概要】
【発明が解決しようとする課題】
【０００５】
本開示は、レンズカバーをレンズフードに一体化したレンズフードおよびこのレンズフードが装着された撮像装置を提供する。
【課題を解決するための手段】
【０００６】
本開示におけるレンズフードは、撮像レンズの前方に取り付けられ、不要な光が撮像レンズに入射するのを防止するように構成されている。そして、上扉と下扉とを有するレンズカバーと、フード本体と、を備えている。フード本体は、撮像レンズの光軸と直交する軸回りに互いに逆方向に回動するように上扉および下扉を支持するとともに、上扉および下扉を収納する収納室を有する。
【０００７】
本開示における撮像装置は、撮像本体部と、撮像本体部に装着された撮像レンズと、撮像レンズの前方に取り付けられ、不要な光が撮像レンズに入射するのを防止するように構成されたレンズフードと、を備える。このレンズフードは、上扉と下扉とを有するレンズカバーと、フード本体と、を備えている。フード本体は、撮像レンズの光軸と直交する軸回りに互いに逆方向に回動するように上扉および下扉を支持するとともに、上扉および下扉を収納する収納室を有する。
【発明の効果】
【０００８】
本開示におけるレンズフードは、砂塵や塵埃等に対する防塵効果を高めるのに有効である。
【図面の簡単な説明】
【０００９】
【図１Ａ】図１Ａは、実施の形態１におけるレンズフードを装着した撮像装置を前方左上方向から見た斜視図である。
【図１Ｂ】図１Ｂは、実施の形態１におけるレンズフードを装着した撮像装置を後方左上方向から見た斜視図である。
【図１Ｃ】図１Ｃは、実施の形態１におけるレンズフードを装着した撮像装置を前方右上方向から見た斜視図である。
【図２Ａ】図２Ａは、実施の形態１におけるレンズフードを前方左上方向から見た斜視図である。
【図２Ｂ】図２Ｂは、実施の形態１におけるレンズフードを後方左上方向から見た斜視図である。
【図３】図３は、実施の形態１におけるレンズフードの分解図である。
【図４】図４は、実施の形態１におけるフードを前方左上方向から見た斜視図である。
【図５Ａ】図５Ａは、実施の形態１におけるレンズカバーが閉扉したときのレンズフードの正面図である。
【図５Ｂ】図５Ｂは、図５ＡのＡ−Ａ線断面図である。
【図６Ａ】図６Ａは、実施の形態１におけるレンズカバーが開扉したときのレンズフードの正面図である。
【図６Ｂ】図６Ｂは、図６ＡのＡ−Ａ線断面図である。
【図７】図７は、実施の形態１におけるラックの斜視図である。
【図８Ａ】図８Ａは、実施の形態１におけるフードベースに取り付けられたレンズカバーが開扉した状態を示す斜視図である。
【図８Ｂ】図８Ｂは、実施の形態１におけるフードベースに取り付けられたレンズカバーが閉扉した状態を示す斜視図である。
【図９Ａ】図９Ａは、実施の形態１におけるフードベースに取り付けられたレンズカバーが開扉したときの状態を示す側面図である。
【図９Ｂ】図９Ｂは、実施の形態１におけるフードベースに取り付けられたレンズカバーが閉扉したときの状態を示す側面図である。
【図９Ｃ】図９Ｃは、実施の形態１におけるフードベースに取り付けられたレンズカバーがラックのスライド操作により開扉したときの状態を示す側面図である。
【図９Ｄ】図９Ｄは、実施の形態１におけるフードベースに取り付けられたレンズカバーがラックのスライド操作により閉扉したときの状態を示す側面図である。
【図１０】図１０は、実施の形態１におけるフードベースに取り付けられたレンズカバーが閉扉した状態を示す斜視図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、添付図面および以下の説明は、当業者が本開示を十分に理解するために提供されるのであって、これらにより特許請求の範囲に記載の主題を限定することは意図されていない。
【００１２】
（実施の形態１）
以下、図１〜図１０を用いて、実施の形態１を説明する。なお、実施の形態１では、撮像装置２００の一例として業務用のビデオカメラを挙げているが、本開示の撮像装置２００は何ら業務用のビデオカメラに限定されるものではなく、静止画撮像装置や民生用のビデオカメラ等、レンズフード１００を装着することができる撮像装置に適用可能である。
【００１３】
［１−１．構成］
図１Ａ〜１Ｃを用いて撮像装置２００の構成の概略を説明する。
【００１４】
図１Ａは、実施の形態１におけるレンズフード１００を装着した撮像装置２００を前方左上方向から見た斜視図である。図１Ｂは、実施の形態１におけるレンズフード１００を装着した撮像装置２００を後方左上方向から見た斜視図である。図１Ｃは、実施の形態１におけるレンズフード１００を装着した撮像装置２００を前方右上方向から見た斜視図である。
【００１５】
なお、本実施の形態では、撮像装置２００および撮像装置２００に装着される各部品において、撮像レンズ部２０２が配置される側を前側、ビューファインダー部２０３が配置される側を後側、撮像装置２００の撮影方向を前方、ビューファインダー部２０３に映像が表示される方向を後方とする。
【００１６】
図１Ａ〜１Ｃに示すように、撮像装置２００は、全体が略直方体の形状を有する撮像本体部２０１を備える。撮像本体部２０１には、被写体を撮影するためのカメラユニット、撮影された映像を表示するための表示ユニット、音声を収録するためのマイク装置２０９、カメラユニットから出力される画像信号およびマイク装置２０９から出力される音声信号を記録再生するための記録再生ユニット、各種操作用の操作ボタンを含むスイッチ群２０６、が設けられている。なお、上述の各ユニットは、ビデオカメラが一般的に有するものであるので、符号を付与しての説明は省略する。
【００１７】
撮像本体部２０１は、前面に撮像レンズ部２０２を備える。撮像レンズ部２０２は、撮像本体部２０１に着脱可能に装着される構成のものであってもよく、あるいは、撮像本体部２０１と一体になった構成のものであってもよい。撮像レンズ部２０２の周囲には操作リング２１０が設けられている。操作リング２１０は、撮像レンズ部２０２の光軸を軸とする回転方向に回動可能に設けられ、使用者が、撮影映像のフォーカス調整、ズーム調整、アイリス調整等を行うときに用いられる。
【００１８】
撮像レンズ部２０２の前面には、レンズフード１００が着脱可能に取り付けられている。レンズフード１００は、上扉６および下扉７を有するレンズカバー１１１を備えている。また、レンズフード１００の内壁１１０の表面は、防塵効果を有する形状に形成されている。レンズフード１００の詳細は後述する。
【００１９】
撮像本体部２０１の後部には、撮影映像や再生映像を表示するビューファインダー部２０３が設けられている。使用者は、ビューファインダー部２０３に表示される映像を見ることで、撮影映像や再生映像を視覚的に確認することができる。
【００２０】
撮像本体部２０１の一方の側面（例えば、撮像本体部２０１の前方に向かって右側面）には、使用者が撮像装置２００を把持するためのグリップベルトが取り付けられた把持部２０７が設けられている。撮像本体部２０１の上部には、使用者が撮像装置２００を使用するときや持ち運びをするとき等に取っ手となるハンドル部２０４が設けられている。ハンドル部２０４の前方には、撮影映像や再生映像を表示する表示部２０５が開閉可能に取り付けられている。表示部２０５は、液晶パネル（図示せず）を備えており、閉じるとハンドル部２０４の前方に設けられたパネル収納部（図示せず）に収納されて液晶パネルは隠された状態となり、開くとパネル収納部から立ち上がって液晶パネルが露出し、その液晶パネルに、撮像レンズ部２０２を通して撮影された映像や記録再生ユニットに記録された映像信号の再生映像を表示することができる。撮像本体部２０１の底面には、三脚に固定するための三脚座（図示せず）が設けられている。
【００２１】
使用者は、撮像本体部２０１を三脚に固定した状態で撮影を行うことができるが、把持部２０７またはハンドル部２０４を片手で把持した状態で撮影を行うこともできる。そのため、使用者が把持に使用している手（例えば、右手）とは反対側の手（例えば、左手）で撮像装置２００の操作ができるように、撮像本体部２０１には、把持部２０７が設けられた側とは反対側の側面（例えば、撮像本体部２０１の前方に向かって左側面）にスイッチ群２０６が配置されている。また、後述する操作部８Ｃは、使用者がスイッチ群２０６を操作する手（例えば、左手）で操作できる位置に配置されることが好ましい。
【００２２】
次に、図２Ａ〜図７を用いて、本実施の形態におけるレンズフード１００について説明する。
【００２３】
図２Ａは、実施の形態１におけるレンズフード１００を前方左上方向から見た斜視図である。図２Ｂは、実施の形態１におけるレンズフード１００を後方左上方向から見た斜視図である。
【００２４】
図３は、実施の形態１におけるレンズフード１００の分解図である。図３には、図２Ａ、２Ｂに示すレンズフード１００を分解し、レンズフード１００を構成する各部品を後方左上方向から見た分解斜視図を示す。
【００２５】
図４は、実施の形態１におけるフード２を前方左上方向から見た斜視図である。図４の斜視図には、フード２の内部構造を示す。
【００２６】
図５Ａは、実施の形態１におけるレンズカバー１１１が閉扉したときのレンズフード１００の正面図である。図５Ｂは、図５ＡのＡ−Ａ線断面図である。図５Ａの正面図および図５Ｂの断面図には、上扉６および下扉７のそれぞれを、収納室１２から移動させ、開口部３Ｆと撮像レンズ部２０２の前玉との間に配置して撮像レンズ部２０２の前方を覆い、レンズカバー１１１によって撮像レンズ部２０２の前方を光学的、物理的に遮蔽するときの、上扉６および下扉７の配置位置を示す。
【００２７】
図６Ａは、実施の形態１におけるレンズカバー１１１が開扉したときのレンズフード１００の正面図である。図６Ｂは、図６ＡのＡ−Ａ線断面図である。図６Ａの正面図および図６Ｂの断面図には、上扉６および下扉７のそれぞれを収納室１２に収納し、撮像レンズ部２０２の前方をレンズカバー１１１から開放するときの、上扉６および下扉７の配置位置を示す。
【００２８】
レンズフード１００は、図２Ａ、２Ｂ、図３に示すように、フード２およびフードベース３を有するフード本体１１２と、対をなす上扉６および下扉７を有するレンズカバー１１１とを備えている。また、図３に示すように、レンズフード１００は、カバー開閉機構１１３を備えている。レンズフード１００は、図１Ａ〜１Ｃに示したように、撮像レンズ部２０２の前方に取り付けられ、撮影時に不要な光が撮像レンズ部２０２に入射するのを防止する。
【００２９】
なお、フード本体１１２、レンズカバー１１１、およびカバー開閉機構１１３には、図３に示すように互いに重複する部材が含まれているが、本実施の形態では、便宜的にこのように符号を付与する。
【００３０】
フード本体１１２は、フード２とフードベース３とを互いに組み合わせて構成されている。フード本体１１２は、図５Ｂ、図６Ｂに示すように、上扉６と下扉７とをそれぞれ収納する収納室１２を有する。
【００３１】
レンズカバー１１１は開閉可能に構成されている。具体的には、対をなす上扉６および下扉７が、撮像レンズ部２０２の光軸と直交する軸回りに、互いに逆方向に回動するようにフードベース３に取り付けられて、レンズカバー１１１が構成されている。
【００３２】
カバー開閉機構１１３は、互いに逆方向に回動するように構成された上扉６および下扉７を、開扉位置から閉扉位置へ、また閉扉位置から開扉位置へと移動させるための機構である。以下、これらの移動を生じさせる使用者の操作を「開閉操作」とも記す。また、「閉扉位置」とは、図５Ａ、５Ｂに示すように、上扉６および下扉７によって撮像レンズ部２０２の前方を遮蔽するときの上扉６および下扉７の配置位置のことである。「開扉位置」とは、図６Ａ、６Ｂに示すように、上扉６および下扉７のそれぞれを収納室１２に収納したときの上扉６および下扉７の配置位置のことである。開閉操作の詳細は後述する。
【００３３】
レンズフード１００では、カバー開閉機構１１３を設けることにより、上扉６および下扉７を、開扉位置と閉扉位置との間で移動可能、すなわち開閉可能、である。
【００３４】
レンズカバー１１１が閉扉位置にあるとき、上扉６および下扉７は、図５Ａ、５Ｂに示すように、レンズフード１００の後方の開口部を遮蔽する。これにより、レンズフード１００を取り付けた撮像装置２００では、撮像レンズ部２０２の前方がレンズカバー１１１で覆われるので、撮像レンズ部２０２の前玉（最前列に配置されたレンズ）はレンズカバー１１１によって光学的および物理的に遮蔽される。すなわち、レンズフード１００の開口部３Ａから取り込まれる外光はレンズカバー１１１によって遮られ、また、砂塵や塵埃等もレンズカバー１１１によって遮られる。したがって、撮像レンズ部２０２に外光が入射したり前玉に砂塵や塵埃等が付着することが防止されるので、撮像レンズ部２０２を砂塵や塵埃、外光等から保護しながら、撮像装置２００を持ち運んだり保管することができる。
【００３５】
レンズカバー１１１が開扉位置にあるとき、上扉６および下扉７は図６Ｂに示すように収納室１２に収納される。したがって、図６Ａに示すように、レンズフード１００の正面からレンズカバー１１１は見えなくなり、レンズフード１００の開口部３Ａから取り込まれる外光はレンズカバー１１１に遮蔽されることなく、レンズフード１００の後方に通過する。すなわち、レンズフード１００を取り付けた撮像装置２００では、レンズカバー１１１が開扉されることで、撮像レンズ部２０２の前方が光学的および物理的に開放されて撮像レンズ部２０２に外光が取り込まれ、撮像装置２００は撮影を開始することができる。
【００３６】
以下、上扉６および下扉７を、閉扉位置から開扉位置に移動することを「開扉する」、開扉位置から閉扉位置に移動するとを「閉扉する」とも記す。
【００３７】
カバー開閉機構１１３は、フードベース３、上扉６、下扉７、ラック８、ラックガイド９、一対のトグルばね１０、およびトルクダンパー１１を備えて構成される。レンズフード１００にカバー開閉機構１１３を設けることで、使用者は、フードベース３にスライド可能に取り付けられたラック８の操作部８Ｃをスライド操作することができ、このスライド操作に連動して上扉６と下扉７とを互いに逆方向に回動させることができる。すなわち、使用者は、操作部８Ｃをスライド操作することで、上扉６および下扉７を開扉位置と閉扉位置との間で移動させ、レンズカバー１１１を開閉操作することができる。これらの機構の詳細は後述する。
【００３８】
フードベース３は、前方に矩形状に設けられた開口部３Ａと、後方に開口部３Ａよりも口径が小さい矩形状に設けられた開口部３Ｆとを有する。開口部３Ａと開口部３Ｆとは内壁１１０によってつながっており、内壁１１０は、開口部３Ｆから開口部３Ａに向かって矩形状のまま口径が拡大する形状に形成されている。
【００３９】
また、内壁１１０の表面は、防塵効果を有する形状に形成されている。本実施の形態では、防塵効果を有する形状の一例として、内壁１１０の表面を、開口部３Ｆから開口部３Ａに向かって段差を有する階段状の形状に形成している。内壁１１０の表面に付着した砂塵や塵埃等は、この段差により、開口部３Ａ側から開口部３Ｆ側に移動すること、すなわち開口部３Ａ側から撮像レンズ部２０２に向かって移動すること、が防止される。したがって、本実施の形態における内壁１１０は、段差の無い滑らかな表面に加工された場合と比較して、防塵効果が高い。
【００４０】
フードベース３の前面には、緩衝材を開口部３Ａに対応した矩形状に成型して形成された、衝撃吸収を主目的とするフードラバー４が取り付けられている。フードラバー４の前面にはフロントパネル５が取り付けられている。フードラバー４は、例えばエラストマー等の、衝撃吸収効果が高い弾性材料で形成されているが、他の弾性材料であってもよい。
【００４１】
フードベース３が有する上扉６および下扉７を支持する機構の説明は後述する。
【００４２】
フード２は、図４に示すように、フードベース３に取り付けるためにフードベース３の開口部３Ａに対応した矩形状に形成された開口部２Ｂ、撮像レンズ部２０２に取り付けるために円形状に形成された開口部２Ｃ、フード２の内部に収めたラック８の操作部８Ｃをフード２の外部へ突出させるためのスライド穴２Ａ、および一対の内側壁２Ｄ、を有する。スライド穴２Ａは、操作部８Ｃをスライド穴２Ａから突出させ、その操作部８Ｃを使用者がスライド操作できる大きさ、に形成されている。そして、フード２は、フード２をフードベース３に取り付けたときに上扉６および下扉７を収納する空間を確保できるように、すなわち図５Ｂに収納室１２として示す空間を確保できるように、適切な大きさの略矩形の箱状に形成されている。これにより、フード２は、フードベース３の後方からフードベース３を覆うようにして、かつフードベース３とフード２との間に収納室１２を形成しながら、フードベース３に装着することができる。内側壁２Ｄについては後述する。
【００４３】
フード２の開口部２Ｃには、図３に示すように、撮像レンズ部２０２との着脱を可能にするための部材であるバヨネット１が取り付けられている。
【００４４】
バヨネット１は、撮像レンズ部２０２の形状に適合するように構成されている。バヨネット１は、円周上の３箇所に、撮像レンズ部２０２と締結するための爪を有しており、撮像レンズ部２０２に対して回動動作を行うことで撮像レンズ部２０２への着脱が可能である。また、バヨネット１はエラストマー等の弾性材料で形成されており、その弾性によって撮像レンズ部２０２のバヨネット部（図示せず）と係合する。
【００４５】
上扉６は、図３に示すように、遮蔽部６Ｅと、遮蔽部６Ｅの両端に設けられた一対の基端部６Ｆ、を有する。各基端部６Ｆには、撮像レンズ部２０２の光軸に対して直交する方向に突出するボス状の上扉回動軸６Ｂが形成され、この一対の上扉回動軸６Ｂを結ぶ線を回動軸として上扉６は回動する。また、一方の基端部６Ｆ（ラック８が取り付けられる方の側）には、上扉回動軸６Ｂの近傍に、上扉回動軸６Ｂと同様に突出するボス状の上扉駆動カムピン６Ａが形成されている。他方の基端部６Ｆには、上扉回動軸６Ｂの近傍に、上扉回動軸６Ｂと同様に突出するボス６Ｃが形成されている。
【００４６】
遮蔽部６Ｅは、図５Ａ、５Ｂに示すように、フードベース３の開口部３Ｆの上半分を遮蔽することができる大きさを有し、回動軸に対して凹面を有する円弧形状に形成されている。したがって、上扉６が閉扉位置に配置されているときは、フードベース３の開口部３Ｆの上半分が上扉６により遮蔽される。これにより、フード２の開口部２Ｂの上半分が遮蔽され、撮像レンズ部２０２の前玉の上半分が光学的および物理的に遮蔽される。上扉６が開扉位置に配置されているときは、図６Ａ、６Ｂに示すように、フードベース３の開口部３Ｆの上半分が開放され、これによりフード２の開口部２Ｂの上半分が開放される。これにより、撮像レンズ部２０２の前玉に、フードベース３の開口部３Ａを通って取り込まれた外光が入射される。
【００４７】
また、遮蔽部６Ｅの先端部には、上扉６が閉扉位置にあるときに、閉扉位置にある下扉７の遮蔽部７Ｅの先端部と重なり合うように形成された段差状のオーバーラップ部６Ｄが設けられている。これは、レンズカバー１１１を閉扉したときに、レンズカバー１１１の遮蔽効果を高め、上扉６の遮蔽部６Ｅと下扉７の遮蔽部７Ｅとの接触箇所から光や塵埃等が後方に漏れるのを防止するためである。
【００４８】
下扉７は、図３に示すように、遮蔽部７Ｅと、遮蔽部７Ｅの両端に設けられた一対の基端部７Ｆ、を有する。各基端部７Ｆには、撮像レンズ部２０２の光軸に対して直交する方向に突出するボス状の下扉回動軸７Ｂが形成され、この一対の下扉回動軸７Ｂを結ぶ線を回動軸として下扉７は回動する。また、一方の基端部７Ｆ（ラック８が取り付けられる方の側）には、下扉回動軸７Ｂの近傍に、下扉回動軸７Ｂと同様に突出するボス状の下扉駆動カムピン７Ａが形成されている。他方の基端部７Ｆには、下扉回動軸７Ｂの近傍に、下扉回動軸７Ｂと同様に突出するボス（図３には示さず）が形成されている。このボスは、後述の図１０にボス７Ｃとして示す。
【００４９】
遮蔽部７Ｅは、図５Ａ、５Ｂに示すように、フードベース３の開口部３Ｆの下半分を遮蔽することができる大きさを有し、回動軸に対して凹面を有する円弧形状に形成されている。したがって、下扉７が閉扉位置に配置されているときは、フードベース３の開口部３Ｆの下半分が下扉７により遮蔽される。これにより、フード２の開口部２Ｂの下半分が遮蔽され、撮像レンズ部２０２の前玉の下半分が光学的および物理的に遮蔽される。下扉７が開扉位置に配置されているときは、図６Ａ、６Ｂに示すように、フードベース３の開口部３Ｆの下半分が開放され、これによりフード２の開口部２Ｂの下半分が開放される。これにより、撮像レンズ部２０２の前玉に、フードベース３の開口部３Ａを通って取り込まれた外光が入射される。
【００５０】
上扉６、下扉７は、少なくとも可視光線を遮蔽することができ、かつ外部からの衝撃に対して十分な強度を有し、成型が容易な素材で形成されることが望ましい。このような素材としては、例えば黒色に着色された合成樹脂を挙げることができるが、アルミニウム等の金属であってもよい。
【００５１】
フードベース３は、図３に示すように、左右の側面（長手方向の両側面）に、一対の上扉回動軸６Ｂをそれぞれ回動可能に軸支持する一対の軸溝３Ｂと、一対の下扉回動軸７Ｂをそれぞれ回動可能に軸支持する一対の軸溝３Ｃと、を有する。上扉６は、一対の軸溝３Ｂに一対の上扉回動軸６Ｂがそれぞれ係合することにより、撮像レンズ部２０２の光軸と直交する方向に回動可能に支持されている。同様に、下扉７は、一対の軸溝３Ｃに一対の下扉回動軸７Ｂがそれぞれ係合することにより、撮像レンズ部２０２の光軸と直交する方向に回動可能に支持されている。
【００５２】
なお、フードベース３は、ラック８を取り付ける側に対向する側の側面（図３では隠れている側の側面）に、トグルばね１０を支持するための突起３Ｄ、３Ｅ（図３には示さず）を有する。突起３Ｄ、３Ｅについては図１０を用いて後述する。
【００５３】
フードベース３にフード２を取り付けて一体化すると、軸溝３Ｂに係合された上扉回動軸６Ｂの背面と、軸溝３Ｃに係合された下扉回動軸７Ｂの背面のそれぞれは、ラックガイド９と、図４に示すフード２に設けられた一対の内側壁２Ｄとによって支持される。これにより、上扉６の上扉回動軸６Ｂおよび下扉７の下扉回動軸７Ｂは安定に回動することができる。
【００５４】
カバー開閉機構１１３は、フードベース３にフード２を取り付けて一体化したフード本体１１２の内部に、ラック８、ラックガイド９、トルクダンパー１１、および一対のトグルばね１０、を備えて構成される。
【００５５】
ラックガイド９は、使用者が操作部８Ｃをスライド操作するときに、ラック８が平行に移動するように規制するためのものである。一対のトグルばね１０は、上扉６と下扉７のそれぞれに対し回動方向への付勢力を発生させるためのものである。トルクダンパー１１は、回転運動に対する抵抗力（以下、「回転抵抗」と記す）を持つギヤを有する。このギヤは、図７にギヤ１１Ａとして示す。
【００５６】
使用者がラック８をスライド操作するときのトルクダンパー１１の働きを図７を用いて説明する。図７は、実施の形態１におけるラック８の斜視図である。
【００５７】
ラック８は、上扉駆動カム溝８Ａ、下扉駆動カム溝８Ｂ、操作部８Ｃ、およびラックギヤ８Ｄ、を有する。
【００５８】
操作部８Ｃは、使用者がレンズカバー１１１を開閉操作するときにスライド操作するためのものであり、突起した形状を有し、使用者が指でスライド操作しやすく、かつスライド穴２Ａから適切に突出する大きさに形成されている。また、使用者が指でスライド操作するときに滑りにくいように、表面に滑り止めが形成されている。
【００５９】
ラックギヤ８Ｄは、図７に示すように、ラック８内部の、操作部８Ｃ近傍に形成されている。トルクダンパー１１は、回転抵抗を持ち、ラックギヤ８Ｄと噛み合うように形成されたギヤ１１Ａを有する。トルクダンパー１１は、ラックギヤ８Ｄとギヤ１１Ａとが互いに噛み合うようにして、ラック８に取り付けられている。したがって、トルクダンパー１１が有するギヤ１１Ａの回転抵抗は、ラックギヤ８Ｄを介してラック８に伝えられる。これにより、ラック８には平行移動に対する抵抗力が生じ、使用者が操作部８Ｃをスライド操作するときに、ラック８が過剰な速さで平行移動することが防止される。これにより、例えば、使用者がレンズカバー１１１を開閉操作するときに、上扉６と下扉７とが過剰な勢いで衝突して大きな衝突音が生じることを防止することができる。
【００６０】
次に、以上のように構成されたレンズフード１００のレンズカバー１１１の開閉動作を説明する。
【００６１】
［１−２．レンズカバーの開閉動作］
以下、ラック８の平行移動を上扉６および下扉７の回動動作に変換する機構について、図８Ａ〜図９Ｄを用いて説明する。図８Ａ〜図９Ｄは、レンズカバー１１１を開閉するときの各機構の動作を説明するための図である。なお、図８Ａ〜図９Ｄには、便宜的に、各部材の動作方向を太線の矢印で示している。
【００６２】
図８Ａは、実施の形態１におけるフードベース３に取り付けられたレンズカバー１１１が開扉した状態を示す斜視図である。図８Ｂは、実施の形態１におけるフードベース３に取り付けられたレンズカバー１１１が閉扉した状態を示す斜視図である。
【００６３】
図９Ａは、実施の形態１におけるフードベース３に取り付けられたレンズカバー１１１が開扉したときの状態を示す側面図である。図９Ｂは、実施の形態１におけるフードベース３に取り付けられたレンズカバー１１１が閉扉したときの状態を示す側面図である。図９Ｃは、実施の形態１におけるフードベース３に取り付けられたレンズカバー１１１がラック８のスライド操作により開扉したときの状態を示す側面図である。図９Ｄは、実施の形態１におけるフードベース３に取り付けられたレンズカバー１１１がラック８のスライド操作により閉扉したときの状態を示す側面図である。
【００６４】
なお、図９Ａ、９Ｂでは、ラック８を省略して各部材の動作を示し、図９Ｃ、９Ｄではラック８とともに各部材の動作を示す。図９Ａ〜９Ｄでは、図面左方向がレンズフード１００の上方向に対応し、図面右方向がレンズフード１００の下方向に対応する。
【００６５】
レンズフード１００では、図９Ａ、９Ｂに示すように、フードベース３に設けられた一対の軸溝３Ｂに、上扉６に設けられた一対の上扉回動軸６Ｂが軸支持されている。同様に、フードベース３に設けられた一対の軸溝３Ｃに、下扉７に設けられた一対の下扉回動軸７Ｂが軸支持されている。なお、図９Ａ、９Ｂには、フードベース３の一方の側面だけを示しているが、後述の図１０に示すように、フードベース３の他方の側面にも、軸溝３Ｂと上扉回動軸６Ｂとの組み合わせ、および軸溝３Ｃと下扉回動軸７Ｂとの組み合わせが設けられている。
【００６６】
これにより、一対の軸溝３Ｂに軸支持された一対の上扉回動軸６Ｂが回動軸となって上扉６は回動し、一対の軸溝３Ｃに軸支持された一対の下扉回動軸７Ｂが回動軸となって下扉７は回動する。
【００６７】
上扉６には、遮蔽部６Ｅと上扉回動軸６Ｂとの間の、上扉回動軸６Ｂ近傍に、上扉駆動カムピン６Ａが設けられている。これにより、遮蔽部６Ｅは、上扉駆動カムピン６Ａと同方向に移動する。例えば、図９Ａに示すように、上扉駆動カムピン６Ａを図９Ａにおける右方向に移動させることで、上扉回動軸６Ｂが回動軸となって上扉６は図９Ａにおける右方向に回動し、遮蔽部６Ｅは開扉位置から閉扉位置に移動する。また、図９Ｂに示すように、上扉駆動カムピン６Ａを図９Ｂにおける左方向に移動させることで、上扉回動軸６Ｂが回動軸となって上扉６は図９Ｂにおける左方向に回動し、遮蔽部６Ｅは閉扉位置から開扉位置に移動する。
【００６８】
下扉７には、遮蔽部７Ｅと下扉駆動カムピン７Ａとの間に下扉回動軸７Ｂが配置されるように、下扉回動軸７Ｂ近傍に下扉駆動カムピン７Ａが設けられている。これにより、遮蔽部７Ｅは、下扉駆動カムピン７Ａと逆方向に移動する。例えば、図９Ａに示すように、下扉駆動カムピン７Ａを図９Ａにおける右方向に移動させることで、下扉回動軸７Ｂが回動軸となって下扉７は図９Ａにおける左方向に回動し、遮蔽部７Ｅは開扉位置から閉扉位置に移動する。また、図９Ｂに示すように、下扉駆動カムピン７Ａを図９Ｂにおける左方向に移動させることで、下扉回動軸７Ｂが回動軸となって下扉７は図９Ｂにおける右方向に回動し、遮蔽部７Ｅは閉扉位置から開扉位置に移動する。
【００６９】
図９Ｃ、９Ｄに示すように、ラック８は、ラック８の上扉駆動カム溝８Ａと上扉６の上扉駆動カムピン６Ａとが係合するように、かつ、ラック８の下扉駆動カム溝８Ｂと下扉７の下扉駆動カムピン７Ａとが係合するように、フードベース３、上扉６および下扉７に取り付けられている。したがって、図９Ｃに示すように、ラック８が図９Ｃにおける右方向に平行移動すると、上扉駆動カムピン６Ａは、上扉駆動カム溝８Ａによって図９Ｃにおける右方向の力が加えられ、右方向に移動する。同様に、下扉駆動カムピン７Ａは、下扉駆動カム溝８Ｂによって図９Ｃにおける右方向の力が加えられ、右方向に移動する。これにより、上扉６および下扉７は互いに逆方向に回動して、開扉位置から閉扉位置に移動する。また、図９Ｄに示すように、ラック８が図９Ｄにおける左方向に平行移動すると、上扉駆動カムピン６Ａは、上扉駆動カム溝８Ａによって図９Ｄにおける左方向の力が加えられ、左方向に移動する。同様に、下扉駆動カムピン７Ａは、下扉駆動カム溝８Ｂによって図９Ｄにおける左方向の力が加えられ、左方向に移動する。これにより、上扉６および下扉７は互いに逆方向に回動して、閉扉位置から開扉位置に移動する。
【００７０】
本実施の形態におけるレンズフード１００では、このように、上扉回動軸６Ｂと上扉駆動カムピン６Ａとの相対的な配置関係と、下扉回動軸７Ｂと下扉駆動カムピン７Ａとの相対的な配置関係とが互いに逆になるように構成されている。これにより、使用者が操作部８Ｃをスライド操作してラック８を平行移動させることで、上扉６と下扉７とは互いに逆方向に回動する。すなわち、使用者は操作部８Ｃをスライド操作することで、レンズカバー１１１の開閉動作を行うことができる。
【００７１】
なお、上扉６および下扉７の開閉動作は、トグルばね１０によって付勢される。この構成を図１０を用いて説明する。
【００７２】
図１０は、実施の形態１におけるフードベース３に取り付けられたレンズカバー１１１が閉扉した状態を示す斜視図である。図１０の斜視図には、フードベース３に取り付けられたレンズカバー１１１を開扉または閉扉するときに付勢するトグルばね１０の取り付け位置を示す。
【００７３】
図１０に示すように、レンズフード１００は、一対のトグルばね１０を有する。一方のトグルばね１０は、上扉６に付勢するためのものであり、フードベース３に設けられた突起３Ｄと上扉６のボス６Ｃとに係合される。他方のトグルばね１０は、下扉７に付勢するためのものであり、フードベース３に設けられた突起３Ｅと下扉７のボス７Ｃとに係合される。
【００７４】
本実施の形態におけるレンズフード１００は、このように、一対のトグルばね１０と、フードベース３に設けられた突起３Ｄ、３Ｅと、上扉６のボス６Ｃおよび下扉７のボス７Ｃとを備えて構成されるトグル機構を有する。
【００７５】
トルクばね１０は、上扉６および下扉７を、開扉位置から閉扉位置へ移動させるとき、または閉扉位置から開扉位置へ移動させるとき、のいずれにおいても、上扉６および下扉７に対して、動き出し時は移動方向に対する抵抗力を発生させ、上扉６および下扉７が所定の位置（例えば、閉扉位置と開扉位置との中間点）を超えると移動方向に対して付勢する。これにより、上扉６および下扉７は、閉扉位置または開扉位置に安定に配置される。
【００７６】
［１−３．効果等］
以上のように、本実施の形態において、レンズフード１００は、撮像レンズ部２０２の前方に取り付けられ、不要な光が撮像レンズ部２０２に入射するのを防止するように構成されている。そして、上扉６と下扉７とを有するレンズカバー１１１と、フード本体１１２と、を備えている。フード本体１１２は、撮像レンズ部２０２の光軸と直交する軸回りに互いに逆方向に回動するように上扉６および下扉７を支持するとともに、上扉６および下扉７を収納する収納室１２を有する。
【００７７】
これにより、レンズフード１００では、レンズカバー１１１を閉扉したとき、撮像レンズ部２０２の前方を上扉６および下扉７によって遮蔽することができる。すなわち、レンズフード１００は、レンズフードとしての機能（不要な光が撮像レンズ部２０２に入射するのを防止する機能）だけでなく、レンズキャップとしての機能（撮像レンズ部２０２の前面を光学的、物理的に遮蔽する機能）もあわせ持つ。
【００７８】
また、本実施の形態において、撮像装置２００は、撮像本体部２０１と、撮像本体部２０１に装着された撮像レンズ部２０２と、撮像レンズ部２０２の前方に取り付けられたレンズフード１００と、を備える。
【００７９】
したがって、撮像装置２００では、レンズフード１００を装着することで、例えば撮影時と運搬時等にレンズフードとレンズキャップとを交互に付け替える必要が無くなるので、使用者の利便性が向上する。
【００８０】
また、本実施の形態において、フード本体１１２は、上扉６および下扉７を回動可能に支持するフードベース３と、フードベース３との間に収納室１２を形成しながらフードベース３を覆うようにしてフードベース３に装着されるフード２と、を有する。
【００８１】
また、本実施の形態において、上扉６および下扉７は、収納室１２に収納され撮像レンズ部２０２の前方を開放する開扉位置と、撮像レンズ部２０２の前方を遮蔽する閉扉位置との間で回動するようにフードベース３に支持されている。
【００８２】
これにより、レンズフード１００では、レンズカバー１１１を開扉したとき、上扉６および下扉７を、例えば図６Ｂに示したように、収納室１２に収納することができる。
【００８３】
例えば、上扉および下扉がレンズフードの内壁に倒れこむようにしてレンズカバーが開扉する従来構造（例えば、上述の特許文献１に開示されている構造）では、レンズカバーの開扉時に上扉および下扉の裏面（レンズカバーが閉扉したときに、撮像レンズの前面に対向する面）が露出するため、上扉および下扉の裏面に砂塵や塵埃等が付着しやすい。したがって、レンズカバーの開閉操作時に、上扉および下扉の裏面に付着した砂塵や塵埃等が撮像レンズの表面に移動して付着する可能性がある。そのような砂塵や塵埃等はレンズ表面を汚すだけでなく、レンズ表面に傷を付ける可能性もある。
【００８４】
しかし、本実施の形態に示すレンズフード１００は、レンズカバー１１１を開扉したとき、例えば図６Ｂや図８Ａに示したように、上扉６および下扉７はそれぞれ収納室１２に収納される。すなわち、レンズカバー１１１が閉扉位置と開扉位置のいずれにあっても、上扉６および下扉７の裏面（レンズカバー１１１が閉扉位置にあるとき、撮像レンズ部２０２の前面に対向する面）は表に露出しないので、上扉６および下扉７の裏面に砂塵や塵埃等が付着しにくい。したがって、本実施の形態に示すレンズフード１００は、レンズカバー１１１の開閉操作時等に、撮像レンズ部２０２の前面に砂塵や塵埃等が付着する可能性が低く、砂塵や塵埃等によって撮像レンズ部２０２のレンズ表面を汚したり、キズをつける、といった現象が発生するのを低減することができる。
【００８５】
また、本実施の形態において、上扉６は、ボス状に形成された一対の上扉回動軸６Ｂを有し、下扉７は、ボス状に形成された一対の下扉回動軸７Ｂを有する。フードベース３は、一対の上扉回動軸６Ｂを回動可能に支持する一対の軸溝３Ｂと、一対の下扉回動軸７Ｂを回動可能に支持する一対の軸溝３Ｃとを有する。
【００８６】
また、本実施の形態において、レンズフード１００は、上扉駆動カム溝８Ａと下扉駆動カム溝８Ｂとを有するラック８を備える。上扉６の上扉回動軸６Ｂの近傍には上扉駆動カムピン６Ａが形成され、下扉７の下扉回動軸７Ｂの近傍には下扉駆動カムピン７Ａが形成されている。そして、上扉駆動カムピン６Ａと上扉駆動カム溝８Ａとが係合し、下扉駆動カムピン７Ａと下扉駆動カム溝８Ｂとが係合するようにラック８は配置されている。レンズフード１００は、ラック８の平行移動により、上扉駆動カムピン６Ａが上扉駆動カム溝８Ａに押されて移動することで上扉６が上扉回動軸６Ｂを軸として回動し、下扉駆動カムピン７Ａが下扉駆動カム溝８Ｂに押されて移動することで下扉７が下扉回動軸７Ｂを軸として回動するように構成されている。
【００８７】
また、本実施の形態において、レンズフード１００では、上扉回動軸６Ｂと上扉駆動カムピン６Ａとの相対的な配置関係と、下扉回動軸７Ｂと下扉駆動カムピン７Ａとの相対的な配置関係とが、互いに逆になるようにそれぞれが配置されることで、上扉６と下扉７とは互いに逆方向に回動する。
【００８８】
また、本実施の形態において、ラック８は、使用者がスライド操作するための操作部８Ｃを有する。
【００８９】
これにより、使用者は、操作部８Ｃをスライド操作することで、ラック８を平行移動させ、上扉６と下扉７とを互いに逆方向に回動させることができる。すなわち、使用者は、操作部８Ｃをスライド操作することで、容易にレンズカバー１１１を開閉させることができる。
【００９０】
また、本実施の形態において、フードベース３は、防塵効果を有する形状に形成された内壁１１０を有する。そして、上扉６および下扉７は、開扉位置および閉扉位置のいずれに配置されているときも内壁１１０を覆うことなく、フードベース３の内壁１１０は常時露出する。
【００９１】
これにより、レンズフード１００では、レンズカバー１１１の開閉にかかわらず、内壁１１０の表面が有する防塵効果を、継続して得ることができる。
【００９２】
例えば、上扉および下扉がレンズフードの内壁に倒れこむようにしてレンズカバーが開扉する従来構造（例えば、上述の特許文献１に開示されている構造）では、レンズカバーの開扉時に、上扉および下扉によってレンズフードの内壁表面が覆われる。そのため、たとえレンズフードの内壁表面に防塵効果を持たせたとしても、撮影時等のレンズカバーの開扉時には、レンズフードの内壁表面が上扉および下扉によって覆われてしまうので、その防塵効果は低減する。
【００９３】
しかし、本実施の形態に示すレンズフード１００は、レンズカバー１１１を開扉したとき、例えば図６Ｂや図８Ａに示したように、上扉６および下扉７はそれぞれ収納室１２に収納される。すなわち、レンズカバー１１１が閉扉位置と開扉位置のいずれにあっても、上扉６および下扉７によってフードベース３の内壁１１０の表面が覆われることはなく、内壁１１０の表面は常に露出している。したがって、本実施の形態に示すレンズフード１００は、レンズカバー１１１の開閉にかかわらず、内壁１１０の表面が有する防塵効果を、継続して得ることができる。すなわち、撮像装置２００を撮影に使用するためにレンズカバー１１１が開扉しているときでも、内壁１１０の表面が有する防塵効果を、レンズカバー１１１を閉扉しているときと同様に、継続して得ることができる。
【００９４】
すなわち、本実施の形態に開示するレンズフードに関する技術は、砂塵や塵埃等に対する防塵効果を高めるのに有効である。
【００９５】
また、本開示におけるレンズフードは、撮像レンズの前面に装着されるので、撮像レンズの周囲に操作リング２１０が設けてあり撮像レンズの周囲に他の部材を配置することが困難な撮像装置、例えば、業務用ビデオカメラ等の撮像装置、に特に有効である。
【００９６】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【００９７】
そこで、以下、他の実施の形態を例示する。
【００９８】
実施の形態１では、内壁１１０の表面を、階段状の形状に形成する例を説明したが、内壁１１０の表面は何ら階段状に限定されるものではなく、防塵効果を有する形状であればよい。例えば、半粒状の突起や凸状のラインをエンボス加工する等して内壁１１０の表面に凹凸を設けてもよい。
【産業上の利用可能性】
【００９９】
本開示は、撮像レンズの前面に装着されるレンズフード、および撮像レンズの前面にレンズフードを装着可能な撮像装置に適用可能である。具体的には、業務用のビデオカメラや民生用のビデオカメラ等の動画撮像装置、デジタルスチルカメラ等の静止画撮像装置、等に本開示は適用可能であり、それらの装置に装着するレンズフードに本開示は適用可能である
【符号の説明】
【０１００】
１    バヨネット
２    フード
２Ａ    スライド穴
２Ｂ，２Ｃ    開口部
２Ｄ    内側壁
３    フードベース
３Ａ    開口部
３Ｂ，３Ｃ    軸溝
３Ｄ，３Ｅ    突起
３Ｆ    開口部
４    フードラバー
５    フロントパネル
６    上扉
６Ａ    上扉駆動カムピン
６Ｂ    上扉回動軸
６Ｃ，７Ｃ    ボス
６Ｄ    オーバーラップ部
６Ｅ，７Ｅ    遮蔽部
６Ｆ，７Ｆ    基端部
７    下扉
７Ａ    下扉駆動カムピン
７Ｂ    下扉回動軸
８    ラック
８Ａ    上扉駆動カム溝
８Ｂ    下扉駆動カム溝
８Ｃ    操作部
８Ｄ    ラックギヤ
９    ラックガイド
１０    トグルばね
１１    トルクダンパー
１１Ａ    ギヤ
１２    収納室
１００    レンズフード
１１０    内壁
１１１    レンズカバー
１１２    フード本体
１１３    カバー開閉機構
２００    撮像装置
２０１    撮像本体部
２０２    撮像レンズ部
２０３    ビューファインダー部
２０４    ハンドル部
２０５    表示部
２０６    スイッチ群
２０７    把持部
２０９    マイク装置
２１０    操作リング
【図１Ａ】
2015111240.tif 000003
【図１Ｂ】
2015111240.tif 000004
【図１Ｃ】
2015111240.tif 000005
【図２Ａ】
2015111240.tif 000006
【図２Ｂ】
2015111240.tif 000007
【図３】
2015111240.tif 000008
【図４】
2015111240.tif 000009
【図５Ａ】
2015111240.tif 000010
【図５Ｂ】
2015111240.tif 000011
【図６Ａ】
2015111240.tif 000012
【図６Ｂ】
2015111240.tif 000013
【図７】
2015111240.tif 000014
【図８Ａ】
2015111240.tif 000015
【図８Ｂ】
2015111240.tif 000016
【図９Ａ】
2015111240.tif 000017
【図９Ｂ】
2015111240.tif 000018
【図９Ｃ】
2015111240.tif 000019
【図９Ｄ】
2015111240.tif 000020
【図１０】
2015111240.tif 000021